(57)【要約】 【課題】商品を入れていない場合はもとより、多くの商品を入れた場合であったとしても、広告機能を維持することが可能である買い物かごを提供する。【解決手段】矩形状の底部２及びこの底部２を囲む二組の対向壁部３,４を具備したかご本体５と、このかご本体５の一組の長辺側対向壁部３，３の各上端間に掛け渡した起伏自在な二本の取っ手６，６と、かご本体５の内側に位置して商品情報などの広告を表示する広告表示部７を備え、広告表示部７が、かご本体５を商品で満たした状態で視認可能にかご本体５に配置してある。【選択図】図１
2008030793.tif 000002
【特許請求の範囲】
【請求項１】
底部及びこの底部を囲む壁部を有するかご本体と、このかご本体の内側に位置して商品情報などの広告を表示する広告表示部を備え、広告表示部が、かご本体を商品で満たした状態で視認可能にかご本体に配置してあることを特徴とする買い物かご。
【請求項２】
かご本体の壁部に設けた外側に傾斜する外向き傾斜部分に広告表示部を配置した請求項１に記載の買い物かご。
【請求項３】
広告表示部が、かご本体を商品で満たした状態でかご本体の壁部上縁ないしその近傍からかご本体の開口に張り出して視認可能としてある請求項１又は２に記載の買い物かご。
【請求項４】
広告表示部がプレート状又はシート状を成し、かご本体の壁部上縁に沿う軸回りの回動を許容された状態でかご本体の壁部に対して所定の角度を持ってかご本体の開口に張り出している請求項３に記載の買い物かご。
【請求項５】
広告表示部がかご本体と別体を成し、連結具を介してかご本体に装着してある請求項３又は４に記載の買い物かご。
【請求項６】
連結具は、かご本体の壁部上縁ないしその近傍に取り付けられる固定片と、この固定片からかご本体の壁部に対して所定の角度を持ってかご本体の開口に延出し且つ弾性変形によりかご本体の壁部上縁に沿う軸回りの回動が許容された可動片を具備し、広告表示部は、連結具の可動片に連結手段を介して装着してある請求項５に記載の買い物かご。
【請求項７】
広告表示部は、広告書面を差し替え可能に収容する透明ケースを具備している請求項１〜６のいずれか一つの項に記載の買い物かご。
【請求項８】
広告表示部は、静止画像又は動画を表示する画像表示手段を具備している請求項１〜６のいずれか一つの項に記載の買い物かご。
【請求項９】
画像表示手段を着脱可能とした請求項８に記載の買い物かご。
【請求項１０】
画像表示手段を充電式とした請求項８又は９に記載の買い物かご。
【請求項１１】
情報を受信して画像を再生する画像再生モニタを画像表示手段とした請求項８〜１０のいずれか一つの項に記載の買い物かご。
【請求項１２】
請求項１〜１１のいずれか一つの項に記載の買い物かごを多数装備し、これらの買い物かごの各広告表示部の表示内容を適宜時間をおいてそれぞれ新しい表示内容に変更することを特徴とする買い物かごを用いた広告方法。
【発明の詳細な説明】
【技術分野】
【０００１】
本発明は、例えば、スーパーマーケットで用いられている買い物かごに関するものである。
【背景技術】
【０００２】
従来、上記したようなスーパーマーケットで用いられている買い物かごとしては、矩形状の底部及びこの底部を囲む二組の対向壁部を具備したかご本体と、このかご本体の一組の対向壁部の各上端間に掛け渡した起伏自在な取っ手を備えたものが一般的であり、大半が合成樹脂又は金属からなっている。
【０００３】
このような買い物かごは、スーパーマーケット一店舗において多数装備されることから、最近において、かご本体における対向壁部の対向面側に、商品や屋号などの情報を記載したプレートを差し替え可能に固定するようになすことで、買い物かごを広告に用いようとする試みがなされている。
【特許文献１】特開平９−１２１９１９号
【発明の開示】
【発明が解決しようとする課題】
【０００４】
ところが、上記した従来の買い物かごでは、かご本体における対向壁部の対向面側にプレートを固定するようにしているので、多くの商品を入れた場合には、プレートに記載された情報が見えなくなってしまい、広告の意味をなさなくなるという問題を有しており、この問題を解決することが従来の課題となっていた。
【０００５】
本発明は、上記した従来の課題に着目してなされたものであり、商品を入れていない場合はもとより、多くの商品を入れた場合であったとしても、広告機能を維持することが可能である買い物かごを提供することを目的としている。
【課題を解決するための手段】
【０００６】
本発明は、底部及びこの底部を囲む壁部を有するかご本体と、このかご本体の内側に位置して商品情報などの広告を表示する広告表示部を備え、広告表示部が、かご本体を商品で満たした状態で視認可能にかご本体に配置してある構成としたことを特徴としており、この買い物かごの構成を前述した従来の課題を解決するための手段としている。
【０００７】
本発明の買い物かごでは、かご本体が商品で満たされた場合であったとしても、広告表示部が視認可能であることから、広告表示部の広告機能が維持されることとなる。
【発明の効果】
【０００８】
本発明の買い物かごによれば、上記した構成としているので、商品を入れていない場合は言うまでもなく、多くの商品を入れた場合であったとしても、広告機能を維持することが可能であるという非常に優れた効果がもたらされる。
【発明を実施するための最良の形態】
【０００９】
本発明の買い物かごにおいて、かご本体の壁部に設けた外側に傾斜する外向き傾斜部分に広告表示部を配置した構成とすることができる。
【００１０】
この構成を採用すると、かご本体が商品で満たされた場合であったとしても、広告表示部がかご本体の外側に傾斜する外向き傾斜部分に配置してあることから、広告表示部の表示内容を何ら支障なく読み取れることとなり、したがって、広告表示部の広告機能が維持されることとなる。
【００１１】
また、本発明の買い物かごにおいて、広告表示部は、かご本体を商品で満たした状態でかご本体の壁部上縁ないしその近傍からかご本体の開口に張り出して視認可能としてある構成とすることができる。
【００１２】
この場合、かご本体が商品で満たされた場合であったとしても、広告表示部がかご本体の壁部上縁ないしその近傍からかご本体の開口に張り出すことから、広告表示部の表示内容を何ら支障なく読み取れることとなり、したがって、広告表示部の広告機能が維持されることとなる。
【００１３】
さらに、本発明の買い物かごにおいて、広告表示部がプレート状又はシート状を成し、かご本体の壁部上縁に沿う軸回りの回動を許容された状態でかご本体の壁部に対して所定の角度を持ってかご本体の開口に張り出している構成とすることが望ましい。
【００１４】
この構成を採用すると、プレート状又はシート状を成す広告表示部が、かご本体の壁部に対して所定の角度を持ってかご本体の開口に張り出しているので、広告表示部は常に広告機能を発揮することとなる。その一方で、広告表示部が、かご本体の壁部上縁に沿う軸回りの回動を許容されているので、かご本体に対する商品の出し入れがこの広告表示部に妨げられるのを回避し得ることとなる。
【００１５】
さらにまた、本発明の買い物かごにおいて、  広告表示部がかご本体と別体を成し、連結具を介してかご本体に装着してある構成とすることができ、この際、連結具は、かご本体の壁部上縁ないしその近傍に取り付けられる固定片と、この固定片からかご本体の壁部に対して所定の角度を持ってかご本体の開口に延出し且つ弾性変形によりかご本体の壁部上縁に沿う軸回りの回動が許容された可動片を具備し、広告表示部は、連結具の可動片に連結手段を介して装着してある構成とすることができる。
【００１６】
この場合には、例えば、店舗において現有する既存の買い物かごを、本発明の買い物かごのかご本体として転用し得ることとなり、広告設備コストの増加を少なく抑え得ることとなる。
【００１７】
さらにまた、本発明の買い物かごにおいて、広告表示部は、広告書面を差し替え可能に収容する透明ケースを具備している構成としてもよく、この構成を採用すると、広告表示部の表示内容を簡単且つ迅速に変更し得ることとなる。
【００１８】
さらにまた、本発明の買い物かごにおいて、広告表示部は、静止画像又は動画を表示する画像表示手段を具備している構成としてもよく、この構成を採用すると、広告表示部の表示内容をより一層簡単且つ迅速に変更し得ることとなる。
【００１９】
この際、画像表示手段を着脱可能としたり、画像表示手段を充電式としたりすることができ、画像表示手段として、情報を受信して画像を再生する画像再生モニタを採用することが望ましい。
【００２０】
一方、本発明の買い物かごを用いた広告方法では、上記した買い物かごを多数装備し、これらの買い物かごの各広告表示部の表示内容を適宜時間をおいてそれぞれ新しい表示内容に変更する構成とすることができ、この場合には、消費者に対して最新情報を常に簡単に伝え得ることとなり、加えて、小売店に対して多大な広告費収入をもたらすと共に、広告主に対して情報公開のチャンスを与え得ることとなる。
【実施例】
【００２１】
以下、本発明を図面に基づいて説明する。
【００２２】
図１〜図３は、本発明の買い物かごの一実施例を示している。図１及び図２に示すように、この買い物かご１は合成樹脂からなり、矩形状の底部２及びこの底部２を囲む二組の対向壁部３,４を具備したかご本体５と、このかご本体５の一組の対向壁部（長辺側対向壁部）３，３の各上端間に掛け渡した起伏自在な二本の取っ手６，６と、かご本体５の内側に位置して商品情報などの広告を表示する広告表示部７を備えている。
【００２３】
この場合、広告表示部７はかご本体５と別体を成していて、図３にも示すように、広告書面を差し替え可能に収容するプレート状の透明ケースとしており、連結具１０を介してかご本体５に装着してある。
【００２４】
この連結具１０は、かご本体５の長辺側対向壁部３の上縁に取り付けられる固定片１１と、この固定片１１からかご本体５の長辺側対向壁部３に対して所定の角度を持ってかご本体５の開口に延出する可動片１２を具備しており、この可動片１２は、弾性変形することによって、かご本体５の対向壁部３の上縁に沿う軸Ｌ回りに回動し得るようになっている。
【００２５】
つまり、広告表示部７を連結具１０の可動片１１に連結手段としてのファスナー１３を介して装着することで、上記軸Ｌ回りの回動を許容しつつかご本体５の長辺側対向壁部３に対して所定の角度（利用する消費者にとって見易い角度）を持ってかご本体５の開口に張り出させるようにしている。
【００２６】
上記した買い物かご１において、広告表示部７が、かご本体５の長辺側対向壁部３に対して利用する消費者にとって見易い角度を持ってかご本体５の開口に張り出しているので、広告表示部７は常に広告機能を発揮することとなり、その一方で、広告表示部７が、かご本体５の長辺側対向壁部３の上縁に沿う軸Ｌ回りの回動を許容されているので、この広告表示部７に妨げられることなく、かご本体５に対する商品の出し入れを行い得ることとなる。
【００２７】
また、この実施例の買い物かご１において、  広告表示部７をかご本体５に対して連結具１０を介して装着してあるので、後述するように、この買い物かご１を用いて広告を行う場合には、店舗において現有する既存の買い物かごを、かご本体５として転用すれば、広告設備コストの増加を少なく抑え得ることとなる。
【００２８】
さらに、上記した買い物かご１において、広告表示部７を広告書面を差し替え可能に収容する透明ケースとしているので、広告表示部７の表示内容を簡単且つ迅速に変更し得ることとなる。
【００２９】
上記した買い物かご１を用いて広告を行う場合には、買い物かご１を多数装備し、これらの買い物かご１の各広告表示部７の表示内容を適宜時間をおいてそれぞれ新しい表示内容に変更するようになせば、消費者に対しては最新情報を常に簡単に伝え得ることとなり、一方、小売店に対しては多大な広告費収入をもたらすと共に、広告主に対しては情報公開のチャンスを与え得ることとなる。
【００３０】
図４及び図５は、本発明の買い物かごの他の実施例を示している。図４及び図５に示すように、この買い物かご１１は合成樹脂からなり、矩形状の底部１２及びこの底部１２を囲む二組の対向壁部１３,１４を具備したかご本体１５と、このかご本体１５の一組の対向壁部（長辺側対向壁部）１３，１３の各上端間に掛け渡した起伏自在な二本の取っ手１６，１６と、かご本体１５のもう一組の対向壁部（短辺側対向壁部）１４，１４に設けた外側に傾斜する外向き傾斜部分１４ａ，１４ａの一方に位置して商品情報などの広告を表示する広告表示部１７を備えている。
【００３１】
この場合、広告表示部１７は、対向壁部１４の外向き傾斜部分１４ａに着脱可能で且つ充電式とした画像再生モニタ（画像表示手段）としてあり、情報を受信して静止画像又は動画を表示するようになっている。
【００３２】
上記した買い物かご１１において、広告表示部１７が、かご本体１５の外側に傾斜する外向き傾斜部分１４ａに配置してあることから、かご本体１５に対する商品の出し入れを円滑に行い得るようにしたうえで、ご本体１５が商品で満たされた場合であったとしても、広告表示部１７の表示内容を何ら支障なく読み取れることとなり、したがって、広告表示部１７の広告機能が維持されることとなる。
【００３３】
また、上記した買い物かご１１では、情報を受信して静止画像又は動画を表示する画像再生モニタを広告表示部１７としているので、広告の表示内容をより一層簡単且つ迅速に変更し得ることとなる。
【産業上の利用可能性】
【００３４】
本発明の買い物かごにおいて、かご本体５が円筒形状を成していてもよい。
【００３５】
また、本発明の買い物かごにおいて、図６及び図７に示すように、かご本体５の底部２に、広告書面を差し替え可能に収容するシート状の広告表示用透明ケース８を設けることも可能である。
【図面の簡単な説明】
【００３６】
【図１】本発明の買い物かごの一実施例を示す斜視説明図である。（実施例１）
【図２】図１の買い物かごの平面説明図である。（実施例１）
【図３】図１の買い物かごにおける広告表示部と連結具とを離間させた状態の説明図である。（実施例１）
【図４】本発明の買い物かごの他の実施例を示す斜視説明図である。（実施例２）
【図５】図１の買い物かごの正面説明図（ａ）及び側面説明図（ｂ）である。（実施例２）
【図６】図１の買い物かごの他の構成例を示す対向壁部を透過して底部が見えるようにした斜視説明図である。
【図７】図６の買い物かごの平面説明図である。
【符号の説明】
【００３７】
１，１１   買い物かご
２，１２   底部
３，１３   長辺側対向壁部（壁部）
４，１４   短辺側対向壁部（壁部）
５，１５   かご本体
７，１７   広告表示部
１０        連結具
１１        固定片
１２        可動片
１３        ファスナー
１４ａ      外向き傾斜部分
【図１】
2008030793.tif 000003
【図２】
2008030793.tif 000004
【図３】
2008030793.tif 000005
【図４】
2008030793.tif 000006
【図５】
2008030793.tif 000007
【図６】
2008030793.tif 000008
【図７】
2008030793.tif 000009